(57)【要約】【課題】  保存性および速乾性に優れるとともに、紙媒体の変形を引き起こさずに紙媒体に高品質な画像を形成することが可能なエマルジョンタイプのインクジェットインクを提供する。【解決手段】  顔料、乳化剤、およびアルコール化合物を含有し、乳化剤によってアルコール化合物が水中に分散されたエマルジョンタイプのインクジェットインクである。乳化剤は、ポリオキシエチレンソルビタン脂肪酸エステル化合物であり、アルコール化合物は、沸点１８０℃以上で芳香環を有する化合物であることを特徴とする。【選択図】    なし【特許請求の範囲】
【請求項１】
水；
顔料：
下記一般式のいずれかで表わされるソルビタン誘導体からなる乳化剤；および
沸点１８０℃以上で芳香環を有するアルコール化合物を含有し、
前記アルコール化合物は、前記乳化剤により前記水中に分散されることを特徴とするインクジェットインク。
【化１】
2010155989.tif 000015
（上記一般式中、Ｒfは炭素数６〜２４の脂肪酸由来の基であり、ｘ，ｙ，ｚ，およびｗは、ｘ＋ｙ＋ｚ＋ｗ≦６を満たす０以上の整数である。）
【請求項２】
前記脂肪酸は、ステアリン酸、オレイン酸、ラウリン酸、パルミチン酸、またはカプリル酸であることを特徴とする請求項１に記載のインクジェットインク。
【請求項３】
前記アルコール化合物は、下記一般式（Ａ）で表わされる化合物であることを特徴とする請求項１または２に記載のインクジェットインク。
【化２】
2010155989.tif 000016
（Ｒaは炭素数１〜５の脂肪族炭化水素基、Ｒbは−Ｏ−または−ＣＨ2Ｏ−であり、ｋは０または１である。）
【請求項４】
前記一般式（Ａ）におけるＲaは、−ＣＨ2−、−ＣＨ2ＣＨ2−、−ＣＨ2ＣＨ(ＣＨ3)−、または−ＣＨ(ＣＨ3)ＣＨ2−であることを特徴とする請求項３に記載のインクジェットインク。
【請求項５】
前記水は、前記アルコール化合物の重量の１倍以上２０倍以下の重量で含有されることを特徴とする請求項１乃至４のいずれか１項に記載のインクジェットインク。
【請求項６】
前記顔料は、前記インクの重量の２〜６％の重量で含有されることを特徴とする請求項１乃至５のいずれか１項に記載のインクジェットインク。
【請求項７】
前記インクは、２５℃における粘度が５〜３０ｍＰａ・ｓであることを特徴とする請求項１乃至６のいずれか１項に記載のインクジェットインク。
【請求項８】
グリコール化合物および多価アルコール化合物の少なくとも一種をさらに含有する請求項１乃至７のいずれか１項に記載のインクジェットインク。
【請求項９】
水；
顔料：
ソルビタン誘導体からなる乳化剤；および
下記一般式（Ａ）で表わされるアルコール化合物を含有し、
前記アルコール化合物は、前記乳化剤により前記水中に分散されることを特徴とするインクジェットインク。
【化３】
2010155989.tif 000017
（Ｒaは炭素数１〜５の脂肪族炭化水素基、Ｒbは−Ｏ−または−ＣＨ2Ｏ−であり、ｋは０または１である。）
【請求項１０】
前記一般式（Ａ）におけるＲaは、−ＣＨ2−、−ＣＨ2ＣＨ2−、−ＣＨ2ＣＨ(ＣＨ3)−、または−ＣＨ(ＣＨ3)ＣＨ2−であることを特徴とする請求項９に記載のインクジェットインク。
【請求項１１】
前記水は、前記アルコール化合物の重量の１倍以上２０倍以下の重量で含有されることを特徴とする請求項９または１０に記載のインクジェットインク。
【請求項１２】
前記ソルビタン誘導体は、ポリオキシエチレンソルビタン脂肪酸エステル化合物であることを特徴とする請求項９乃至１１のいずれか１項に記載のインクジェットインク。
【請求項１３】
前記ソルビタン誘導体は、ＨＬＢが９以上であることを特徴とする請求項１２に記載のインクジェットインク。
【請求項１４】
前記ソルビタン誘導体は、以下のいずれかの化学式で表わされることを特徴とする請求項９乃至１３のいずれか１項に記載のインクジェットインク。
【化４】
2010155989.tif 000018
（上記一般式中、Ｒfは炭素数６〜２４の脂肪酸由来の基であり、ｘ，ｙ，ｚ，およびｗは、ｘ＋ｙ＋ｚ＋ｗ≦６０を満たす０以上の整数である。）
【請求項１５】
前記顔料は、前記インクの重量の２〜６％の重量で含有されることを特徴とする請求項９乃至１４のいずれか１項に記載のインクジェットインク。
【請求項１６】
前記インクは、２５℃における粘度が５〜３０ｍＰａ・ｓであることを特徴とする請求項９乃至１５のいずれか１項に記載のインクジェットインク。
【請求項１７】
グリコール化合物および多価アルコール化合物の少なくとも一種をさらに含有することを特徴とする請求項９乃至１６のいずれか１項に記載のインクジェットインク。
【請求項１８】
紙媒体に少なくとも１種のインク組成物をインクジェットヘッドから噴射して画像を形成する工程を具備し、
前記インク組成物は請求項１乃至１７のいずれか１項に記載のインクジェットインクであることを特徴とするインクジェット記録方法。
【請求項１９】
前記画像の形成は、１種類のインク組成物を用いて行なわれることを特徴とする請求項１８に記載の記録方法。
【請求項２０】
前記画像の形成は、異なる色の２種類以上のインク組成物を用いて行なわれることを特徴とする請求項１８に記載の記録方法。
【発明の詳細な説明】
【技術分野】
【０００１】
この発明は、エマルジョンタイプのインクジェットインクに関する。
【背景技術】
【０００２】
インクジェット記録用の従来のインクは、各種の水溶性染料を水性媒体に溶解させたものが一般的であった。最近では、顔料を水性媒体に分散させたインクも提案されている。水溶性染料を用いたインクと比較して、顔料を用いたインクは耐水性や耐光性に優れるためである。
【０００３】
水のような揮発性の高い溶媒に顔料を分散させてインクジェットインクを調製する場合には、インクジェットヘッドからの吐出性能を考慮しなければならない。溶媒分が揮発することにより顔料分と溶媒分との配合率のバランスが崩れ、ノズル近傍のインク顔料濃度が極度に増加する。その結果、インクの増粘や粗大粒子の析出といった現象が生じる。ノズルが塞がれて、吐出性能が低下する。具体的には、所定の吐出体積が得られず、飛翔方向が不正確となる。場合によっては不吐出ノズルも出現する。
【０００４】
従来の顔料インクの多くは、主として浸透性を抑えることで紙表面に対するインクの濡れを抑え、それによって紙表面近くにインク滴を留めて印字品質を確保している。この種のインクでは、必ずしも全ての紙種に適応できず、紙種の違いによるにじみの差が大きい。特に、再生紙では安定した印刷品質が得られない。再生紙は、不特定多数の種類の紙が混合されて製造される。使用された紙種に対するインクの濡れ特性の差が、にじみの発生に影響するためである。また、従来の顔料インクでは、その組成に起因して、印刷した箇所の乾燥に長時間を要する。特にカラー印刷等の多色系の印刷においては、隣り合った色が混色してしまう。さらに、顔料が紙等の表面に残るため、擦過性が悪くなるという問題もある。
【０００５】
グリセリンのような保湿力の高い溶媒を用いた場合には、吐出性能を確保できるものの、こうした溶媒の保湿効果はインクが紙中に浸透した後も維持される。多量に用いられると、紙のしわやカールなどの用紙の変形を引き起こすので、その含有量を制限する必要もあった。
【０００６】
こうした問題を解決するために、水と油成分とにより溶媒が構成された、いわゆるエマルション型のインクジェットインクが提案されている。
【０００７】
特許文献１に記載のインクは、水不溶性有機化合物とハイドロトロピック両親媒性物質とを用いてマイクロエマルジョン化した顔料ベースのインクである。ハイドロトロピック両親媒性物質として用いられるのはイオン性化合物であるため、顔料分散安定性に影響を与える場合があった。これは吐出性能の低下に繋がる。
【０００８】
特許文献２に記載のエマルションインクは、初留点２９０℃以上の油成分とＨＬＢ３〜５の非イオン界面活性剤とを含む。油中水型(＝Ｗ／Ｏ)エマルションであり、油成分としては揮発性の低い鉱物油、合成油、植物油などが用いられている。耐目詰まり性や吐出安定性などの特性は向上するが、裏抜けのような印字品質は改善されていない。紙中への浸透性が大きくなるためである。しかも、紙に含浸した油成分のほとんどは揮発しないため、こうしたインクを用いて形成された印刷物の保管方法が制限される。透明樹脂フィルムシートなどに印刷物を保管した場合には、油成分の作用によりフィルムシートが膨潤し、軟化して使用できなくなる。特許文献３には、より疎水性の高い沸点１８０℃以上の飽和炭化水素系溶剤を油成分として用いたインクが記載されており、同様の問題が存在している。
【０００９】
上述のように、紙媒体への記録に適したインクジェット記録用インクであって、速乾性、印刷物の画像品質に優れるとともに、間欠吐出におけるインクの目詰まりがなく、経時における顔料の分散安定なインクは、未だ得られていないのが現状である。
【発明の概要】
【発明が解決しようとする課題】
【００１０】
この発明の目的は、保存性および速乾性に優れるとともに、紙媒体の変形を引き起こさずに紙媒体に高品質な画像を形成することが可能なエマルジョンタイプのインクジェットインクを提供することである。
【００１１】
また、この発明の目的は、保存性および速乾性に優れたインクジェットインクを用いて、紙媒体を変形させることなく高品質な画像を形成し得るインクジェット記録方法を提供することである。
【課題を解決するための手段】
【００１２】
本発明の一態様にかかるインクジェットインクは、水；顔料；下記一般式のいずれかで表わされるソルビタン誘導体からなる乳化剤；および沸点１８０℃以上で芳香環を有するアルコール化合物を含有し、前記アルコール化合物は、前記乳化剤により前記水中に分散されることを特徴とする。
【化１】
2010155989.tif 000002
【００１３】
（上記一般式中、Ｒfは炭素数６〜２４の脂肪酸由来の基であり、ｘ，ｙ，ｚ，およびｗは、ｘ＋ｙ＋ｚ＋ｗ≦６を満たす０以上の整数である。）
本発明の他の態様にかかるインクジェットインクは、水；顔料；ソルビタン誘導体からなる乳化剤；および下記一般式（Ａ）で表わされるアルコール化合物を含有し、前記アルコール化合物は、前記乳化剤により前記水中に分散されることを特徴とする。
【化２】
2010155989.tif 000003
【００１４】
（Ｒaは炭素数１〜５の脂肪族炭化水素基、Ｒbは−Ｏ−または−ＣＨ2Ｏ−であり、ｋは０または１である。）
本発明の一態様にかかるインクジェット記録方法は、紙媒体に少なくとも１種のインク組成物をインクジェットヘッドから噴射して画像を形成する工程を具備し、前記インク組成物は前述のインクジェットインクであることを特徴とする。
【発明の効果】
【００１５】
本発明によれば、保存性および速乾性に優れるとともに、紙媒体の変形を引き起こさずに紙媒体に高品質な画像を形成することが可能なエマルジョンタイプのインクジェットインクが提供される。また、本発明によれば、保存性および速乾性に優れたインクジェットインクを用いて、紙媒体を変形させることなく高品質な画像を形成し得るインクジェット記録方法が提供される。
【図面の簡単な説明】
【００１６】
【図１】本発明の実施の一形態を適用するインクジェット記録装置の一例である。
【発明を実施するための最良の形態】
【００１７】
以下、本発明の実施形態を具体的に説明する。
【００１８】
図１は、本発明の実施形態にかかるインクジェット記録方法に用いられる記録装置の断面である。用紙カセット１００および１０１は、サイズの異なる用紙Ｐを保持している。供紙ローラ１０２または１０３は、選択された用紙サイズに対応した用紙Ｐを用紙カセット１００または１０１から取り出し、搬送ローラ対１０４、１０５およびレジストローラ対１０６に搬送する。
【００１９】
搬送ベルト１０７は、駆動ローラ１０８と２本の従動ローラ１０９とによって張力が与えられている。搬送ベルト１０７の表面には所定間隔で穴が設けられ、搬送ベルト１０７の内側には用紙Ｐを搬送ベルト１０７に吸着させるため、ファン１１０に連結された負圧チャンバ１１１が設置されている。搬送ベルト１０７の用紙搬送方向下流には、搬送ローラ対１１２、１１３、および１１４が設置されている。
【００２０】
搬送ベルト１０７の上方には、画像データに応じてインクを用紙に吐出するインクジェットヘッドが４列配列されている。上流から、シアン（Ｃ）インクを吐出するインクジェットヘッド１１５Ｃ、マゼンタ（Ｍ）インクを吐出するインクジェットヘッド１１５Ｍ、イエロー（Ｙ）インクを吐出するインクジェットヘッド１１５Ｙ、ブラック（Ｂｋ）インクを吐出するインクジェットヘッド１１５Ｂｋの順である。さらに、各インクジェットヘッド１１５には各色インクが収容されているシアン（Ｃ）インクカートリッジ１１６Ｃ、マゼンタ（Ｍ）インクカートリッジ１１６Ｍ、イエロー（Ｙ）インクカートリッジ１１６Ｙ、ブラック（Ｂｋ）インクカートリッジ１１６Ｂｋが設けられている。各カートリッジは、それぞれチューブ１１７Ｃ、１１７Ｍ、１１７Ｙ、１１７Ｂｋによって、インクジェットヘッドに連結されている。
【００２１】
こうした構成のインクジェット記録装置の画像形成動作について述べる。
【００２２】
まず、画像処理手段（図示しない）により記録のための画像処理が開始され、記録のための画像データが各インクジェットヘッド１１５Ｃ、１１５Ｍ、１１５Ｙ、１１５Ｂｋに転送される。また、用紙カセット１００または１０１から給紙ローラ１０２または１０３により選択された用紙サイズの用紙Ｐを一枚ずつ取り出し、搬送ローラ対１０４、１０５およびレジストローラ対１０６に搬送する。レジストローラ対１０６は用紙Ｐのスキューを補正し、所定のタイミングで搬送を行なう。
【００２３】
負圧チャンバ１１１は搬送ベルト１０７の穴を介して空気を吸い込んでいるので、用紙Ｐは搬送ベルト１０７に吸着された状態でインクジェットヘッド１１５の下側を搬送される。このことで、各インクジェットヘッド１１５と用紙Ｐとは一定の間隔を保つことができる。レジストローラ対１０６から用紙Ｐが搬送されるタイミングに同期させて、各インクジェットヘッド１１５Ｃ、１１５Ｍ、１１５Ｙ、１１５Ｂｋから各色のインクを吐出させる。こうして、用紙Ｐの所望に位置にカラー画像が成される。画像が形成された用紙Ｐは搬送ローラ対１１２、１１３および１１４によって排紙トレイ１１８に排紙される。
【００２４】
各インクカートリッジには、本発明の実施形態にかかるインクジェットインクが収容される。
【００２５】
本発明の実施形態にかかるインクジェットインクは、水と顔料と特定の乳化剤と特定のアルコール化合物とを含有し、乳化剤によってアルコール化合物が水中に分散されている。
【００２６】
特定の乳化剤と特定のアルコール化合物とが含有されているので、本発明の実施形態にかかるインクジェットインクは、保存性および速乾性に優れており、高品質の画像を紙媒体に形成することができる。しかも、紙媒体の変形も避けることが可能となった。
【００２７】
本明細書において、紙媒体とは、一般的には、印刷されることを目的に使用される紙製の媒体をさす。印刷特性を高めるための材料が塗布されたアート紙やコート紙などの塗工用紙と、紙自体の特性を生かした非塗工用紙とに大別される。紙媒体は、本、書籍、新聞、包装、およびプリンター用紙など、種々の用途に用いられる。また、段ボール、紙製の容器、およびボール紙などの厚紙も紙媒体に含まれる。例えば、オフィスや家庭で使用する複写機、プリンターに使用されるコピー用紙のような、いわゆる普通紙は、典型的な紙媒体である。
【００２８】
本発明の実施形態において、アルコール化合物は乳化液を構成する油成分であり、乳化剤によって水中に分散される。この乳化液中に、色材としての顔料が含有される。
【００２９】
顔料は特に限定されず、無機顔料および有機顔料のいずれを用いてもよい。無機顔料としては、例えば酸化チタンおよび酸化鉄が挙げられる。さらに、コンタクト法、ファーネス法、またはサーマル法などの公知の方法によって製造されたカーボンブラックを使用することができる。
【００３０】
有機顔料としては、例えば、アゾ顔料（アゾレーキ顔料、不溶性アゾ顔料、縮合アゾ顔料、キレートアゾ顔料などを含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフタロン顔料など）、染料キレート（例えば、塩基性染料型キレート、酸性染料型キレートなど）、ニトロ顔料、ニトロソ顔料、アニリンブラックなどを使用できる。
【００３１】
ブラックインクとして使用されるカーボンブラックとしては、具体的には、Ｎｏ．２３００，Ｎｏ．９００，ＭＣＦ８８，Ｎｏ．３３，Ｎｏ．４０，Ｎｏ．４５，Ｎｏ．５２，ＭＡ７，ＭＡ８，ＭＡ１００，Ｎｏ２２００Ｂ等（三菱化学製）、Ｒａｖｅｎ５７５０，Ｒａｖｅｎ５２５０，Ｒａｖｅｎ５０００，Ｒａｖｅｎ３５００，Ｒａｖｅｎ１２５５，Ｒａｖｅｎ７００等（コロンビア社製）、Ｒｅｇａｌ  ４００Ｒ，Ｒｅｇａｌ  ３３０Ｒ，Ｒｅｇａｌ  ６６０Ｒ，Ｍｏｇｕｌ  Ｌ，Ｍｏｎａｒｃｈ  ７００，Ｍｏｎａｒｃｈ  ８００，Ｍｏｎａｒｃｈ  ８８０，Ｍｏｎａｒｃｈ９００，Ｍｏｎａｒｃｈ  １０００，Ｍｏｎａｒｃｈ  １１００，Ｍｏｎａｒｃｈ  １３００，Ｍｏｎａｒｃｈ  １４００等（キャボット社製）、Ｃｏｌｏｒ  Ｂｌａｃｋ  ＦＷ１，Ｃｏｌｏｒ  Ｂｌａｃｋ  ＦＷ２，Ｃｏｌｏｒ  Ｂｌａｃｋ  ＦＷ２Ｖ，Ｃｏｌｏｒ  Ｂｌａｃｋ  ＦＷ１８，Ｃｏｌｏｒ  Ｂｌａｃｋ  ＦＷ２００，  Ｃｏｌｏｒ  Ｂｌａｃｋ  Ｓ１５０，Ｃｏｌｏｒ  Ｂｌａｃｋ  Ｓ１６０，Ｃｏｌｏｒ  Ｂｌａｃｋ  Ｓ１７０，Ｐｒｉｎｔｅｘ  ３５，Ｐｒｉｎｔｅｘ  Ｕ，ＰｒｉｎｔｅｘＶ，Ｐｒｉｎｔｅｘ  １４０Ｕ，Ｓｐｅｃｉａｌ  Ｂｌａｃｋ  ６，Ｓｐｅｃｉａｌ  Ｂｌａｃｋ  ５，Ｓｐｅｃｉａｌ  Ｂｌａｃｋ  ４Ａ，Ｓｐｅｃｉａｌ  Ｂｌａｃｋ  ４等（デグッサ社製）などが挙げられる。
【００３２】
イエローインクに使用される顔料としては、具体的には、Ｃ．Ｉ．Ｐｉｇｍｅｎｔ  Ｙｅｌｌｏｗ  １，Ｃ．Ｉ．Ｐｉｇｍｅｎｔ  Ｙｅｌｌｏｗ２，Ｃ．Ｉ．Ｐｉｇｍｅｎｔ  Ｙｅｌｌｏｗ  ３，Ｃ．Ｉ．Ｐｉｇｍｅｎｔ  Ｙｅｌｌｏｗ  １２，Ｃ．Ｉ．Ｐｉｇｍｅｎｔ  Ｙｅｌｌｏｗ  １３，Ｃ．Ｉ．Ｐｉｇｍｅｎｔ  Ｙｅｌｌｏｗ  １４Ｃ，Ｃ．Ｉ．Ｐｉｇｍｅｎｔ  Ｙｅｌｌｏｗ  １６，Ｃ．Ｉ．Ｐｉｇｍｅｎｔ  Ｙｅｌｌｏｗ  １７，Ｃ．Ｉ．Ｐｉｇｍｅｎｔ  Ｙｅｌｌｏｗ  ７３，Ｃ．Ｉ．  Ｐｉｇｍｅｎｔ  Ｙｅｌｌｏｗ  ７４，Ｃ．Ｉ．Ｐｉｇｍｅｎｔ  Ｙｅｌｌｏｗ  ７５，Ｃ．Ｉ．Ｐｉｇｍｅｎｔ  Ｙｅｌｌｏｗ  ８３，Ｃ．Ｉ．Ｐｉｇｍｅｎｔ  Ｙｅｌｌｏｗ９３，Ｃ．Ｉ．Ｐｉｇｍｅｎｔ  Ｙｅｌｌｏｗ９５，Ｃ．Ｉ．Ｐｉｇｍｅｎｔ  Ｙｅｌｌｏｗ９７，Ｃ．Ｉ．Ｐｉｇｍｅｎｔ  Ｙｅｌｌｏｗ  ９８，Ｃ．Ｉ．ＰｉｇｍｅｎｔＹｅｌｌｏｗ  １０９，Ｃ．Ｉ．Ｐｉｇｍｅｎｔ  Ｙｅｌｌｏｗ  １１０，Ｃ．Ｉ．Ｐｉｇｍｅｎｔ  Ｙｅｌｌｏｗ  １１４，Ｃ．Ｉ．Ｐｉｇｍｅｎｔ  Ｙｅｌｌｏｗ  １２８，  Ｃ．Ｉ．Ｐｉｇｍｅｎｔ  Ｙｅｌｌｏｗ  １２９，Ｃ．Ｉ．Ｐｉｇｍｅｎｔ  Ｙｅｌｌｏｗ  １３８，Ｃ．Ｉ．Ｐｉｇｍｅｎｔ  Ｙｅｌｌｏｗ  １５０，Ｃ．Ｉ．Ｐｉｇｍｅｎｔ  Ｙｅｌｌｏｗ  １５１，Ｃ．Ｉ．Ｐｉｇｍｅｎｔ  Ｙｅｌｌｏｗ  １５４，Ｃ．Ｉ．Ｐｉｇｍｅｎｔ  Ｙｅｌｌｏｗ  １５５，Ｃ．Ｉ．Ｐｉｇｍｅｎｔ  Ｙｅｌｌｏｗ  １８０，およびＣ．Ｉ．Ｐｉｇｍｅｎｔ  Ｙｅｌｌｏｗ  １８５等が挙げられる。
【００３３】
マゼンタインクに使用される顔料としては、具体的には、Ｃ．Ｉ．Ｐｉｇｍｅｎｔ  Ｒｅｄ  ５，Ｃ．Ｉ．Ｐｉｇｍｅｎｔ  Ｒｅｄ７，Ｃ．Ｉ．Ｐｉｇｍｅｎｔ  Ｒｅｄ  １２，Ｃ．Ｉ．Ｐｉｇｍｅｎｔ  Ｒｅｄ  ４８（Ｃａ），Ｃ．Ｉ．Ｐｉｇｍｅｎｔ  Ｒｅｄ  ４８（Ｍｎ），Ｃ．Ｉ．Ｐｉｇｍｅｎｔ  Ｒｅｄ  ５７（Ｃａ），Ｃ．Ｉ．Ｐｉｇｍｅｎｔ  Ｒｅｄ  ５７：１，Ｃ．Ｉ．Ｐｉｇｍｅｎｔ  Ｒｅｄ  １１２，Ｃ．Ｉ．Ｐｉｇｍｅｎｔ  Ｒｅｄ  １２２，Ｃ．Ｉ．Ｐｉｇｍｅｎｔ  Ｒｅｄ  １２３，Ｃ．Ｉ．Ｐｉｇｍｅｎｔ  Ｒｅｄ  １６８，Ｃ．Ｉ．Ｐｉｇｍｅｎｔ  Ｒｅｄ  １８４，Ｃ．Ｉ．Ｐｉｇｍｅｎｔ  Ｒｅｄ  ２０２，およびＣ．Ｉ．Ｐｉｇｍｅｎｔ  Ｖｉｏｌｅｔ１９等が挙げられる。
【００３４】
シアンインクに使用される顔料としては、具体的には、Ｃ．Ｉ．Ｐｉｇｍｅｎｔ  Ｂｌｕｅ  １，Ｃ．Ｉ．Ｐｉｇｍｅｎｔ  Ｂｌｕｅ  ２，Ｃ．Ｉ．  Ｐｉｇｍｅｎｔ  Ｂｌｕｅ  ３，Ｃ．Ｉ．Ｐｉｇｍｅｎｔ  Ｂｌｕｅ  １５：３，Ｃ．Ｉ．Ｐｉｇｍｅｎｔ  Ｂｌｕｅ  １５：４，Ｃ．Ｉ．Ｐｉｇｍｅｎｔ  Ｂｌｕｅ  １５：３４，Ｃ．Ｉ．Ｐｉｇｍｅｎｔ  Ｂｌｕｅ  １６，Ｃ．Ｉ．Ｐｉｇｍｅｎｔ  Ｂｌｕｅ  ２２，Ｃ．Ｉ．Ｐｉｇｍｅｎｔ  Ｂｌｕｅ  ６０，Ｃ．Ｉ．Ｖａｔ  Ｂｌｕｅ  ４，およびＣ．Ｉ．Ｖａｔ  Ｂｌｕｅ  ６０が挙げられる。
【００３５】
インクジェットインクであるので、顔料の平均粒径は１〜３００ｎｍ程度の範囲内であることが好ましい。さらに顔料の平均粒径は、１０〜２００ｎｍ程度の範囲内であることがより好ましい。
【００３６】
上述したような顔料は、分散剤を用いて水または油成分中に分散させることができる。分散剤としては、例えば、界面活性剤、水溶性樹脂、および非水溶性樹脂などが挙げられる。あるいは、分散剤を使用せずに、水等に分散可能な自己分散顔料の形態として用いてもよい。なお、自己分散顔料の形態とは、分散剤なしに水等に分散可能な顔料であり、顔料に表面処理を施して、カルボニル基、カルボキシル基、ヒドロキシル基、およびスルホン基の少なくとも一種の官能基またはその塩を結合させた顔料である。表面処理としては、例えば、真空プラズマ処理、ジアゾカップリング処理、および酸化処理等が挙げられる。こうした表面処理により官能基または官能基を含んだ分子を顔料の表面にグラフトさせることによって、自己分散顔料が得られる。
【００３７】
インク中における顔料の濃度は、インク全重量の２〜２０％の範囲が好ましい。この範囲内であれば、インクの保存性や吐出性能といった不都合を伴なうことなく、必要な画像濃度の印刷物を形成することができる。インク中における顔料の濃度は、２〜６重量％の範囲がより好ましい。
【００３８】
本発明の実施形態においては、ソルビタン誘導体が乳化剤として用いられる。ソルビタン誘導体としては、例えば、ポリオキシエチレンソルビタン脂肪族エステル化合物が挙げられる。あるいは、下記一般式（Ｓ１）で表わされる化合物、および下記一般式（Ｓ２）で表わされる化合物を用いてもよい。
【化３】
2010155989.tif 000004
【００３９】
上記一般式中、ｘ，ｙ，ｚ，およびｗは、ｘ＋ｙ＋ｚ＋ｗ≦６を満たす０以上の整数である。Ｒfは炭素数６〜２４の脂肪酸由来の基である。炭素数の上限は２０程度が好ましい。脂肪酸は、飽和脂肪酸および不飽和脂肪酸のいずれでもよい。脂肪酸としては、ステアリン酸、オレイン酸、ラウリン酸、パルミチン酸、およびカプリル酸が好ましい。こうした脂肪酸は、後述する一般式（Ａ）で表わされるアルコール化合物の溶解性を高める点で有利である。
【００４０】
ソルビタン誘導体のＨＬＢ値は９以上であることが好ましい。ソルビタン誘導体のＨＬＢ値が９以上の場合には、水中におけるアルコール化合物の分散性が、よりいっそう高められる。このようにして形成された安定な分散粒子は、顔料や他の添加剤などを加えても、安定性が損なわれることはない。具体的には、クリーミング、凝集、合一などの分散低下は極めて少ない。
【００４１】
ソルビタン誘導体としては、より具体的には、ソルビタンモノラウレート、ソルビタンモノパルミテート、ソルビタンモノステアレート、ソルビタンジステアレート、ソルビタントリステアレート、ソルビタンモノオレエート、ソルビタントリオレエート、ソルビタンセスキオレエート、ポリオキシエチレンソルビタンモノラウレート、ポリオキシエチレンソルビタンモノパルミテート、ポリオキシエチレンソルビタンモノステアレート、ポリオキシエチレンソルビタントリステアレート、ポリオキシエチレンソルビタンモノオレエート、ポリオキシエチレンソルビタントリオレエート、およびポリオキシエチレンソルビタントリイソステアレートなどが挙げられる。
【００４２】
乳化剤としてのソルビタン誘導体の含有量は、水成分と油成分との配合比等に応じて適宜決定することができる。なお、水成分とは水および水溶性成分を含み、油成分とはアルコール化合物または他の油成分を含む。インクの全重量の１〜２０％の重量で含有されていれば、その効果が得られる。
【００４３】
上述したような乳化剤によって、アルコール化合物が水中に分散される。本発明の実施形態においては、アルコール化合物は、沸点１８０℃（１０１３ｈＰａ）以上で、芳香環を有することが必須である。インクジェット記録用なので、用いられるアルコール化合物の沸点は１８０℃以上に規定される。具体的には、下記一般式（Ａ）で表わされる化合物である。
【化４】
2010155989.tif 000005
【００４４】
上記一般式中、Ｒaは炭素数１〜５の脂肪族炭化水素基、Ｒbは−Ｏ−または−ＣＨ2Ｏ−であり、ｋは０または１である。
【００４５】
具体的には、一般式（Ａ）で表わされる化合物としては、例えば、ベンジルアルコール、２−フェニルエチルアルコール（Ｃａｓ．６０−１２−８）、３−フェニル−１−プロパノール（Ｃａｓ．１２２−９７−４）、４−フェニル−１−ブタノール（Ｃａｓ．３３６０−４１−６）、２−フェニル−１−プロパノール（Ｃａｓ．１１２３−８５−９）、１−フェニル−２−プロパノール（Ｃａｓ．１４８９８−８７−４）、フェノキシエタノール（Ｃａｓ．１２２−９９−６）、フェノキシプロパノール（Ｃａｓ．７７０−３５−４、Ｃａｓ．４１６９−０４−４）、およびベンジルグリコール（Ｃａｓ．６２２−０８−２）などが挙げられる。
【００４６】
インクの保存安定性や吐出性能を考慮すると、ベンジルアルコール、フェノキシエタノール、フェノキシプロパノール、フェニレンプロピレングリコール、およびベンジルグリコールが好ましい。これらのアルコール化合物は、上記一般式（Ａ）においてＲaとして、それぞれ−ＣＨ2−、−ＣＨ2ＣＨ2−、−ＣＨ(ＣＨ3)ＣＨ2−、−ＣＨ2ＣＨ(ＣＨ3)−、−ＣＨ2ＣＨ2−が導入された化合物である。
【００４７】
アルコール化合物の含有量は、水の含有量に応じて決定されることが望まれる。具体的には、水の重量がアルコール化合物の重量の１倍以上２０倍以下となるように、水およびアルコール化合物の含有量を決定する。水およびアルコール化合物の重量がこうした範囲内であれば、インクの保存安定性が良好に保たれ、また、画像形成時の浸透乾燥性と画質とのバランスを良好な範囲に保つことが可能になる。
【００４８】
１倍以上２０倍以下の範囲が保たれていれば、後述する水溶性化合物がインク中に含まれていてもよい。この場合、水溶性化合物の重量は、水の重量の３０％以下にとどめることが好ましい。また、１倍以上２０倍以下の範囲が保たれていれば、他の油成分がインク中に含まれてもよい。他の油成分としては、例えばラウリン酸、カプリン酸、ミリスチン酸、ラウリルアルコール、およびラウリン酸メチルなどが挙げられる。こうした油成分の重量は、アルコール化合物の重量の４０％以下にとどめることが望まれる。
【００４９】
本発明の実施形態にかかるインクジェットインクを調製するに当たっては、まず、乳化剤を水に溶解させて水溶液を得る。ここにアルコール化合物を混合し、攪拌して乳化液とする。乳化液の調製には、機械的なせん断力を与える局所せん断ミキサーを用いることができる。具体的には、ホモミキサーやウルトラミキサーなどである。あるいは、高圧で細管内を通過させることによって、せん断を与える高圧ホモジナイザーを用いてもよい。またさらに、超音波分散機なども使用することもできる。
【００５０】
与えるせん断力は、材料の種類などに応じて適宜調整することが望まれる。せん断力が大きい過ぎる場合には乳化粒子が破壊され、弱すぎる場合には乳化が不十分になる。いずれの場合も、凝集が生じて均一な乳化液が得られないおそれがある。得られた乳化液に顔料、および必要に応じて添加剤を加えて、本実施形態のインクが得られる。このように、調製の最終段階で顔料を加えることによって、顔料の凝集や油／水の分離といった不都合は回避され、良好にインク化することができる。
【００５１】
インクジェット記録用であるので、本発明の実施形態にかかるインクジェットインクは、インクジェットプリンターにおけるヘッドのノズルからの吐出に適切な粘度を有することが必要である。具体的には、２５℃における粘度が５〜５０ｍＰａ・ｓであることが好ましい。より好ましい粘度は、５〜３０ｍＰａ・ｓ以下である。３０ｍＰａ・ｓ以下であれば、吐出動作時におけるヘッド制御温度を比較的低い温度にすることができる。
【００５２】
インクジェットインクの吐出性能や浸透性など、最適な特性条件に調整するために、本発明の効果を損なわない範囲で、別途界面活性剤を配合してもよい。
【００５３】
界面活性剤としては、例えば、ポリオキシエチレンアルキルエーテル、ポリオキシアルキレンアルキルエーテル、ポリオキシエチレン多環フェニルエーテル、ポリオキシアルキレン多環フェニルエーテル、およびグリセリン脂肪酸エステルなどが挙げられる。
【００５４】
さらに、アセチレングリコール系界面活性剤またはフッ素系界面活性剤を用いることもできる。アセチレングリコール系界面活性剤としては、例えば２，４，７，９−テトラメチル−５−デシン−４，７−ジオール、３，６−ジメチル−４−オクチンー３，６−ジオール、および３，５−ジメチル−１−ヘキシン−３−オール等が挙げられる。具体的には、サーフィノール１０４、８２、４６５、４８５あるいはＴＧ等（エアープロダクツ社製）である。
【００５５】
フッ素系界面活性剤としては、例えばパーフルオロアルキルエチレンオキシド付加物、パーフルオロアルキルアミンオキシド、パーフルオロアルキルカルボン酸塩、およびパーフルオロアルキルスルホン酸等が挙げられる。具体的にはメガファックＦ−４４３、Ｆ−４４４、Ｆ−４７０、Ｆ−４９４（大日本インキ化学工業社）、ノベックＦＣ−４３０、ＦＣ−４４３０（３Ｍ社）、サーフロンＳ−１４１、Ｓ−１４５、Ｓ−１１１Ｎ、Ｓ−１１３（セイミケミカル社）である。
【００５６】
これらの界面活性剤は、エマルションインクの分散安定性などを劣化させない程度に添加することが望まれる。界面活性剤は、インク全重量の１．０％程度以下の重量で含有されていれば、何等不都合を伴なわずに効果を発揮することができる。
【００５７】
インクの粘度を調整し、保存性、保湿性および吐出安定性を向上させるために、水溶性化合物を配合してもよい。具体的には、グリセリン、ジグリセリン、ポリグリセリン、エチレングリコール、ジエチレングリコール、トリエチレングリコール、ポリエチレングリコール、およびポリプロピレングリコールなどのグリコール化合物；１，５−ペンタンジオール、１，６−ヘキサンジオール、１，２，６−ヘキサントリオール、１，２，４−ブタントリオール、１，２，３−ブタントリオール、ペトリオール、ソルビット、マンニット、およびマルチトールなどの多価アルコールなどである。
【００５８】
インクの粘度を調整し、印刷物の擦過性のような印字品質を改良するために、樹脂成分を配合してもよい。樹脂成分は水溶性に限られ、例えば、ポリビニルアルコール、ヒドロキシプロピルセルロース、カルボキシメチルセルロース、ヒドロキシエチルセルロース、メチルセルロース、水溶性アクリル樹脂、ポリビニルピロリドン、アラビアゴム、デキストリン、カゼイン、およびペクチン等が挙げられる。なかでも、水溶性アクリル樹脂が特に好ましい。インク中の顔料分散性を損なわずに、紙媒体への定着性をよりいっそう高めることができる。
【００５９】
印字画像の裏抜けや印刷物の保管方法に制約を与えない範囲であれば、疎水性の高い非水溶性有機溶媒を油成分中に加えることもできる。非水溶性有機溶媒によって、アルコール化合物のもつ極性をより非極性側に制御することができる。あるいは、より極性側に制御することができる。こうして、最適な配合比に合わせ込むことが可能となる。その結果、水中に分散させた油成分の分散安定性が、よりいっそう高められる。非水溶性有機溶媒としては、例えば、パラフィン系オイル、ナフテン系オイル、スピンドル油、およびマシン油などの鉱物油；アマニ油、ヒマシ油、大豆油、およびキリ油などの植物油；炭素数３０以下の炭化水素、および高級カルボン酸エステルが挙げられる。
【００６０】
必要に応じて、ｐＨ調整剤、防腐剤・防かび剤等の添加剤を配合することができる。ｐＨ調整剤としては、例えば、リン酸二水素カリウム、リン酸水素二ナトリウム、および水酸化ナトリウム等が挙げられる。
【００６１】
防腐剤・防かび剤としては、例えば、安息香酸ナトリウム、ペンタクロロフェノールナトリウム、２−ピリジンチオール−１−オキサイドナトリウム、ソルビン酸ナトリウム、デヒドロ酢酸ナトリウム、および１，２−ジベンズイソチアゾリン−３−オン（ＩＣＩ社のプロキセルＣＲＬ、プロキセルＢＤＮ、プロキセルＧＸＬ、プロキセルＸＬ−２、プロキセルＴＮ）などを使用することができる。
【００６２】
こうした添加剤を配合することによって、印字画像品質や保存安定性がさらに高められる。
【００６３】
以下に、具体例を示して本発明をさらに詳細に説明する。
【００６４】
乳化剤として、下記表１に示す化合物を準備した。下記表１には、乳化剤の化合物名等およびＨＬＢ値を、略称とともにまとめた。
【表１】
2010155989.tif 000006
【００６５】
上記表１中、Ｅ１〜Ｅ４は、いずれも花王製であり、前記一般式（Ｓ１）または（Ｓ２）で表わされる化合物に相当する。
【００６６】
油成分としては下記表２に示す化合物を準備し、水溶性化合物としては下記表３に示す化合物を準備した。
【表２】
2010155989.tif 000007
【００６７】
上記表２中、Ａ１〜Ａ３は、沸点１８０℃（１０１３ｈＰａ）以上の沸点を有し、芳香環を有する化合物である。すなわち、前記一般式（Ａ）で表わされるアルコール化合物である。Ｓｕｎｐｅｒ１１０（サン石油製）は、一般的な鉱物油である。大豆油は、一般的な植物油である。
【表３】
2010155989.tif 000008
【００６８】
水、顔料、乳化剤、および油成分を、下記表４に示す処方で配合して、Ｎｏ．１〜１８のインクサンプルを調製した。下記表４中の数値は、各成分の重量％を示している。必要に応じて、上記表３に示した水溶性化合物を配合した。
【００６９】
インクサンプルの調製にあたっては、まず、ホモジナイザーを用いて、色成分以外の成分を５０００ｒｐｍで３０分間混合し、乳化液を得た。得られた乳化液はＯ／Ｗ型であった。次に、色成分を加えてインクジェットインクとした。用いた色成分は、自己分散型カーボンブラック分散液ＣＡＢ−ＪＥＴ−４００（キャボット社製）である。この分散液中の固形分を顔料として、下記表４に示した。なお、この分散液中の水分の量は、表中の水の量に含まれている。
【表４】
2010155989.tif 000009
【００７０】
また、下記表５に示す処方で各成分を配合して、Ｎｏ．１９のインクサンプルを得た。インクサンプルの調製に当たっては、まず、成分を混合してスターラーで所定時間、攪拌した。その後、１μｍのメンブランフィルターでろ過してＮｏ．１９のインクサンプルを得た。このＮｏ．１９のインクサンプルは、一般的な組成の水性インクジェットインクである。
【表５】
2010155989.tif 000010
【００７１】
さらに、下記表６に示す処方で各成分を配合して、Ｎｏ．２０〜２８のインクサンプルを得た。インクサンプルの調製に当たっては、まず、色成分以外の成分を混合して乳化液を得、この乳化液に色成分を加えた。
【表６】
2010155989.tif 000011
【００７２】
得られたインク組成物について、印刷品質、速乾性、用紙変形性、および保存安定性を調べた。評価方法は、それぞれ以下のとおりである。東芝コピーペーパー紙、Ｘｅｒｏｘ４０２４紙、リコーハイグレード普通紙（タイプＥ）、Ｔｉｄａｌ  ＭＰ紙、およびＮＥＵＳＩＥＤＬＥＲ紙の５種類の普通紙を用意し、記録装置としては、東芝テックピエゾヘッドＣＢ１を搭載したインクジェット記録装置を用いた。
【００７３】
（印刷品質）
前述の５種類の普通紙に文字印刷を行なって、印刷品質を評価した。印刷された文字を目視により判断した。また、Ｘ−Ｒｉｔｅ画像濃度測定器を用いて印字画像濃度を調べ、フェザリングおよび裏抜け等の印刷品質を以下の基準にしたがって判定した。ベタ画像濃度１．２を印字画像濃度の基準値とする。
【００７４】
５種類の普通紙のいずれにおいても、印刷品質の低下、およびベタ画像濃度の低下が認められなければ、“◎”である。印字品質およびベタ画像濃度の低下が認められた普通紙が２種以下の場合には“○”とし、３種以上の場合には“△”である。
【００７５】
（速乾性）
速乾性の評価には、普通紙として東芝コピーペーパー紙を用いた。まず、普通紙の１０ｍｍ×１０ｍｍの領域に、１００％ｄｕｔｙでベタ印刷を行なった。所定の時間放置した後、印刷部分に新品の同普通紙を積層し、３００ｇの重りを載置した。１０秒経過後、積層された普通紙を剥離して、インクサンプルが付着しているかどうかを確認した。
【００７６】
ベタ印刷後、新品の普通紙を積層するまでの時間は、５秒後、１０秒後、および３０秒後の３種類とした。それぞれにおけるインク付着を目視により調べて、以下の基準にしたがって判定した。
【００７７】
◎：５秒後で付着なし
○：５秒の場合付着あり、１０秒後で付着なし
△：１０秒の場合付着あり、３０秒後で付着なし
（用紙変形性）
速乾性試験と同様にして、東芝コピーペーパー紙に１０ｍｍ×１００ｍｍの領域に１００％ｄｕｔｙでベタ印刷を行ない、印字サンプルを得た。レーザー変位計により用紙変形の程度（紙の波打ちの大きさ：コックリング量）を求め、凹凸の量（長さ）で以下のように評価した。
【００７８】
◎：０．５ｍｍ未満
○：１．０ｍｍ未満
△：２．０ｍｍ未満
×：２．０ｍｍ以上
（保存安定性）
各インクサンプルを、各インクジェットインクを、５０℃のもとで２週間保存して、粘度の増加減率から保存安定性を調べた。具体的には、保存前の粘度と保存後の粘度とを測定して粘度の増加率を求め、以下の基準で判断した。
【００７９】
◎：±５％未満
○：±５〜１０％：やや良好
△：±１０％以上：やや不良
上述の印刷品質、速乾性、用紙変形性、および保存性の４つの評価のうち、１つでも“△”であればＮＧである。得られた結果を下記表７にまとめる。
【表７】
2010155989.tif 000012
【００８０】
上記表７に示されるように、Ｎｏ．１〜１８のインクサンプルは、いずれも印刷品質、速乾性、用紙変形、および保存性において良好な結果が得られている。これらのインクサンプルにおいては、特定のソルビタン誘導体と特定のアルコール化合物とが含有されている。Ｎｏ．１〜１８はエマルションタイプであるので、水性特性に加えて油性特性を備えていることが、一般的な水性インクのＮｏ．１９のインクサンプルとの比較からわかる。
【００８１】
Ｎｏ．５〜９、１１〜１２、および１５〜１８のインクサンプルには、水溶性化合物が含有されている。これらの化合物は乳化液自体の安定性を上げるとともに、インクの保湿性能も向上させることが可能となる。特に、アルコール化合物としてベンジルアルコールが用いられたＮｏ．５〜９，１１〜１２のインクサンプルでは、保存性が向上して“◎”である。
【００８２】
アルコール化合物としてベンジルグリコールまたはフェニレンプロピレングリコールを用いたＮｏ．１５〜１８のインクサンプルでは、保存性の評価は“○”である。こうした違いは、アルコール化合物の乳化分散効果の違いに起因するものと推測される。すなわち、ポリオキシエチレンソルビタン脂肪酸エステルの乳化分散効果は、アルコール化合物としてベンジルアルコールを用いた際に、よりいっそう発揮される。
【００８３】
保存性に及ぼすＨＬＢ値の影響を調べるため、乳化剤を以下の化合物に変更した以外は、前述のＮｏ．１と同様の処方でインクサンプルを調製した。
【００８４】
レオドールＳＰ−Ｐ１０：ソルビタンモノパルミテート（ＨＬＢ＝６．７）
レオドールＳＰ−Ｓ２０：ソルビタンジステアレート（ＨＬＢ＝４．４）
得られたインクの保存性は、いずれも“○”レベルであり、Ｎｏ．１の“◎”レベルには達しないことが確認された。ＨＬＢ値が９以上のソルビタン誘導体を乳化剤として用いた場合には、インクの保存安定性がよりいっそう高められ、評価は“◎”となる傾向が示された。
【００８５】
ＨＬＢの値は、乳化液を調製する際の重要な指標であり、本実施形態においても、ＨＬＢ値が９以上のソルビタン誘導体を用いることによって、良好な保存性を確保することができる。
【００８６】
Ｎｏ．２０のインクサンプルには、所定の乳化剤およびアルコール化合物のいずれもが含有されていない。Ｎｏ．２１〜２４のインクサンプルは、所定の乳化剤が含有されず、Ｎｏ．２５〜２８のインクサンプルには所定のアルコール化合物が含有されていない。
【００８７】
Ｎｏ．２０および２１のインクサンプルにおいては、インクを処方することは可能であった。しかしながら、得られたインクは、Ｎｏ．１〜１８と比較すると低い評価であり、性能が劣っていることがわかる。
【００８８】
Ｎｏ．２２〜２８のインクサンプルにおいては、乳化液を調製してインク化を試みても、種々の不都合からインクを得ることができなかった。例えば、乳化液自体の分散性が悪く、直ちに分離するものがあった。また、顔料を添加すると、乳化液の分散性が急激に低下するものも存在した。このように、概ね分散安定性に起因する保存性能が悪いものが多く、インク化後の評価に至るものが得られなかった。
【００８９】
次に、水とベンジルアルコールの重量比を変えて、下記表８に示す処方でＮｏ．２９〜３３のインクサンプルを調製した。Ｎｏ．２９〜３３のインクサンプルにおいては、水溶性化合物としてソルビトールが含有されている。また、Ｎｏ．３１〜３３のインクサンプルにおいては、ベンジルアルコールに加えてラウリル酸が油成分として配合されている。
【表８】
2010155989.tif 000013
【００９０】
得られたインクについて、印字品質、速乾性、用紙変形性、および保存性を前述と同様に評価した。その結果を下記表９にまとめる。
【表９】
2010155989.tif 000014
【００９１】
上記表８に示されるように、Ｎｏ．２９のインクサンプルにおいては、水の重量は、アルコール化合物の重量の４１倍であり、Ｎｏ．３３のインクサンプルにおいては、水の重量はアルコール化合物の重量の０．８９倍程度である。このように、いずれも１倍以上２０倍以下の範囲を外れている。
【００９２】
印字品質および保存性に着目すると、Ｎｏ．２９のインクサンプル及びＮｏ．３３のインクサンプルは、Ｎｏ．３０〜３２のインクサンプルより劣っている。Ｎｏ．３０のインクサンプルにおいては、水の重量はアルコール化合物の重量の２０倍であり、Ｎｏ．３２のインクサンプルにおいては、水の重量はアルコール化合物の重量の１倍である。
【００９３】
水の重量がアルコール化合物の重量の１倍以上２０倍以下であれば、印字品質および保存性がよりいっそう高められることが確認された。保存性が高いので、こうしたインクは飛翔性能もより優れたものとなる。
【００９４】
この発明の実施の形態のエマルジョンタイプのインクジェットインクは，保存性および速乾性に優れるとともに、紙媒体の変形を引き起こさずに紙媒体に高品質な画像を形成することが可能である。
【００９５】
また、この発明の実施の形態のインクジェット記録方法により、保存性および速乾性に優れたインクジェットインクを用いて、紙媒体を変形させることなく高品質な画像を形成することができる。
【符号の説明】
【００９６】
ｐ…用紙；  １００…用紙カセット；  １０１…用紙カセット；  １０２…給紙ローラ
１０３…給紙ローラ；  １０４…搬送ローラ対；  １０５…搬送ローラ対
１０６…レジストローラ対；  １０７…搬送ベルト；  １０８…駆動ローラ
１０９…従動ローラ；  １１０…ファン；  １１１…負圧チャンバ
１１２…搬送ローラ対；  １１３…搬送ローラ対；  １１４…搬送ローラ対
１１５…インクジェットヘッド；  １１６…インクカートリッジ
１１７…チューブ；  １１８…排紙トレイ。
【先行技術文献】
【特許文献】
【００９７】
【特許文献１】ＵＳＰ５，５３１，８１６
【特許文献２】特開２００６−５６９３１号公報
【特許文献３】特開２００５−５４１４１号公報
【図１】
2010155989.tif 000019